(57)【要約】【課題】収穫作業中であっても回転ファンを逆回転させることで、冷暖房装置に付着している塵埃を取り除くことができるコンバインを提供すること。【解決手段】キャビンに、正・逆回転可能な回転ファンを有する冷暖房装置と、防塵埃網を張設した外気取入口を設けて、正回転する回転ファンにより冷暖房装置に外気取入口を通して熱交換用の外気を供給する一方、逆回転する回転ファンにより外気取入口を通して防塵埃網に付着した塵埃を吹散して除去する吹散除去風をキャビン外部へ向けて送風するようにし、外気取入口はキャビンの左右側壁のいずれか一側壁に設け、穀粒搬出部は、基端部を支点として傾倒自在かつ旋回自在とした搬出横オーガを有し、搬出横オーガの先端部には穀粒搬出口部を設けて、回転ファンが逆回転して外気取入口から吹散除去風が流出されている際に、吹散除去風の下流側に穀粒搬出口部が配置された場合には、回転ファンの逆回転作動が停止されるようにした。【選択図】図２
2015080425.tif 000002
【特許請求の範囲】
【請求項１】
機体フレーム上に、運転部を囲繞するキャビンと、収穫して貯留された穀粒を機外へ搬出する穀粒搬出部とを備えるコンバインであって、
キャビンに、正・逆回転可能な回転ファンを有する冷暖房装置と、防塵埃網を張設した外気取入口を設けて、正回転する回転ファンにより冷暖房装置に外気取入口を通して熱交換用の外気を供給する一方、逆回転する回転ファンにより外気取入口を通して防塵埃網に付着した塵埃を吹散して除去する吹散除去風をキャビン外部へ向けて送風するようにし、
外気取入口はキャビンの左右側壁のいずれか一側壁に設け、
穀粒搬出部は、基端部を支点として傾倒自在かつ旋回自在とした搬出横オーガを有し、搬出横オーガの先端部には穀粒搬出口部を設けて、
回転ファンが逆回転して外気取入口から吹散除去風が流出されている際に、吹散除去風の下流側に穀粒搬出口部が配置された場合には、回転ファンの逆回転作動が停止されるようにしたことを特徴とするコンバイン。
【請求項２】
機体フレーム上に、運転部を囲繞するキャビンと、収穫して貯留された穀粒を機外へ搬出する穀粒搬出部とを備えるコンバインであって、
キャビンに、正・逆回転可能な回転ファンを有する冷暖房装置と、防塵埃網を張設した外気取入口を設けて、正回転する回転ファンにより冷暖房装置に外気取入口を通して熱交換用の外気を供給する一方、逆回転する回転ファンにより外気取入口を通して防塵埃網に付着した塵埃を吹散して除去する吹散除去風をキャビン外部へ向けて送風するようにし、
外気取入口はキャビンの左右側壁のいずれか一側壁に設け、
穀粒搬出部は、基端部を支点として傾倒自在かつ旋回自在とした搬出横オーガを有し、搬出横オーガの先端部には穀粒搬出口部を設けて、
外気取入口から流出される吹散除去風の下流側に穀粒搬出口部が配置されている場合には、回転ファンの逆回転作動が規制されるようにしたことを特徴とするコンバイン。
【請求項３】
回転ファンは、冷暖房装置の運転を開始してから一定時間毎に正回転と逆回転を繰り返すようにしたことを特徴とする請求項1又は２記載のコンバイン。
【請求項４】
回転ファンは、冷暖房装置の運転を開始してから所定時間内にキャビンの室内温度が設定温度に達しない場合に、逆回転させるようにしたことを特徴とする請求項1〜３のいずれか１項記載のコンバイン。
【発明の詳細な説明】
【技術分野】
【０００１】
本発明は、コンバイン、詳しくは、運転部用の冷暖房装置を備えたコンバインに関する。
【背景技術】
【０００２】
従来、コンバインの一形態として、運転部の天井部に冷暖房装置を備えたものがあるが、収穫作業を行うと、刈取部などから塵埃が発生しやすいため、冷暖房装置には熱交換用空気を吸入することに起因して塵埃が流れ込みやすくなっている。そこで、冷暖房装置のコンデンサに熱交換用空気を供給する回転ファンを正回転させることで、運転部の上方から外気を吸引して冷暖房を可能にするとともに、収穫作業が停止されていることを条件に、回転ファンを逆回転させることで、運転部の上外方へ塵埃清掃風を排出させて、冷暖房装置に付着している塵埃に塵埃清掃風を作用させて塵埃を取れやすくしている（例えば、特許文献１参照）。特許文献１では、穀粒貯留部から穀粒を搬出する穀粒搬出部が駆動されたのを検出することで、収穫作業が停止されたと判断して、回転ファンが逆回転されるようにしている。
【先行技術文献】
【特許文献】
【０００３】
【特許文献１】特開２０００−５５４１号公報
【発明の概要】
【発明が解決しようとする課題】
【０００４】
しかしながら、上記したコンバインでは、回転ファンが逆回転される時期が、収穫作業の停止後に制約されているため、収穫作業中であっても回転ファンを逆回転させることで、冷暖房装置に付着している塵埃を取り除きたい場合、例えば、塵埃目詰まりにより冷暖房効率が良くない場合が生じても、それができないという不具合があった。
【０００５】
そこで、本発明では、収穫作業中であっても回転ファンを逆回転させることで、冷暖房装置に付着している塵埃を取り除くことができるコンバインを提供することを目的とする。
【課題を解決するための手段】
【０００６】
請求項１記載の発明に係るコンバインは、機体フレーム上に、運転部を囲繞するキャビンと、収穫して貯留された穀粒を機外へ搬出する穀粒搬出部とを備えるコンバインであって、キャビンに、正・逆回転可能な回転ファンを有する冷暖房装置と、防塵埃網を張設した外気取入口を設けて、正回転する回転ファンにより冷暖房装置に外気取入口を通して熱交換用の外気を供給する一方、逆回転する回転ファンにより外気取入口を通して防塵埃網に付着した塵埃を吹散して除去する吹散除去風をキャビン外部へ向けて送風するようにし、外気取入口はキャビンの左右側壁のいずれか一側壁に設け、穀粒搬出部は、基端部を支点として傾倒自在かつ旋回自在とした搬出横オーガを有し、搬出横オーガの先端部には穀粒搬出口部を設けて、回転ファンが逆回転して外気取入口から吹散除去風が流出されている際に、吹散除去風の下流側に穀粒搬出口部が配置された場合には、回転ファンの逆回転作動が停止されるようにしたことを特徴とする。
【０００７】
請求項２記載の発明に係るコンバインは、機体フレーム上に、運転部を囲繞するキャビンと、収穫して貯留された穀粒を機外へ搬出する穀粒搬出部とを備えるコンバインであって、キャビンに、正・逆回転可能な回転ファンを有する冷暖房装置と、防塵埃網を張設した外気取入口を設けて、正回転する回転ファンにより冷暖房装置に外気取入口を通して熱交換用の外気を供給する一方、逆回転する回転ファンにより外気取入口を通して防塵埃網に付着した塵埃を吹散して除去する吹散除去風をキャビン外部へ向けて送風するようにし、外気取入口はキャビンの左右側壁のいずれか一側壁に設け、穀粒搬出部は、基端部を支点として傾倒自在かつ旋回自在とした搬出横オーガを有し、搬出横オーガの先端部には穀粒搬出口部を設けて、外気取入口から流出される吹散除去風の下流側に穀粒搬出口部が配置されている場合には、回転ファンの逆回転作動が規制されるようにしたことを特徴とする。
【０００８】
請求項３記載の発明に係るコンバインは、請求項1又は２記載の発明に係るコンバインであって、回転ファンは、冷暖房装置の運転を開始してから一定時間毎に正回転と逆回転を繰り返すようにしたことを特徴とする。
【０００９】
請求項４記載の発明に係るコンバインは、請求項1〜３のいずれか１項記載の発明に係るコンバインであって、回転ファンは、冷暖房装置の運転を開始してから所定時間内にキャビンの室内温度が設定温度に達しない場合に、逆回転させるようにしたことを特徴とする。
【発明の効果】
【００１０】
本発明によれば、収穫作業中であっても回転ファンを逆回転させることで、冷暖房装置に付着している塵埃を取り除くことができる。したがって、塵埃目詰まりが原因で冷暖房効率が低下するという不具合を回避することができる。
【図面の簡単な説明】
【００１１】
【図１】本実施形態に係るコンバインの左側面図。
【図２】本実施形態に係るコンバインの右側面図。
【図３】本実施形態に係るコンバインの平面図。
【図４】運転部の断面平面説明図。
【図５】穀粒搬出部の一部右側説明図。
【図６】抑制範囲の説明図。
【図７】冷暖房装置の概念的説明図。
【図８】制御ブロック図。
【図９】フローチャート。
【発明を実施するための形態】
【００１２】
以下に、本発明の実施形態を、図面を参照しながら説明する。図１〜図３に示すＡは本実施形態に係るコンバインである。コンバインＡは、図１〜図３に示すように、左右一対のクローラ式の走行部１，１上に機体フレーム２を設け、機体フレーム２の左側前端部に刈取フレーム３を介して刈取部４と搬送部５とを昇降自在に取り付けている。機体フレーム２上の左側前部には、穀稈移送部６と脱穀部７と選別部８を配設すると共に、後部に排藁処理部９を配設している。一方、機体フレーム２上の右側前部には、キャビン１０を配設すると共に、右側中途部に穀粒貯留部１１を配設し、穀粒貯留部１１の直後方に穀粒搬出部１２を穀粒貯留部１１と連通させて配設している。キャビン１０の後下部と穀粒貯留部１１の前下部に跨る機体フレーム２上の位置には、原動機部としてのエンジン１３を搭載して、エンジン１３の駆動力により上記した各部の作動部を作動させるようにしている。
【００１３】
このように構成して、刈取部４により穀稈を刈り取り、刈り取った穀稈を搬送部５により後上方の穀稈移送部６まで搬送して、穀稈移送部６に穀稈を受け渡し、穀稈移送部６により穀稈の株元を挟扼すると共に穂先を脱穀部７内に挿入した状態で後方へ移送させるようにしている。
【００１４】
この際、穀稈の穂先は脱穀部７により脱穀されるとともに、脱穀された穀粒は選別部８により選別されて、精粒のみが穀粒貯留部１１に搬送されて貯留され、貯留されている穀粒（清粒）は必要に応じて穀粒搬出部１２により機外へ搬出されるようにしている。
【００１５】
また、脱穀された穀稈は排藁として排藁処理部９に搬送され、排藁処理部９にて細断・排出処理されるようにしている。
【００１６】
キャビン１０は、図４に示すように、略四角形箱型に形成して内部に運転部１９を設けている。運転部１９は、床部２０の前部にステアリングコラム２１を立設し、ステアリングコラム２１の上端部にステアリングハンドル２２を取り付け、ステアリングハンドル２２の後方位置に運転席２３を配置している。運転部１９には、運転席２３の前方から左側方にかけてサイド操作コラム２４を配設している。２５はフロントガラス、２６は左側開閉窓、２７は乗降用開閉扉である。
【００１７】
キャビン１０の天井部２８（図１及び図２参照）は、図５に示すように、扁平箱形に形成して、天井部２８の内部に冷暖房装置２９を配設し、天井部２８に設けた吹き出し口（図示せず）から冷風ないしは温風を吹き出させて、キャビン１０内を冷房ないしは暖房することができるようにしている。
【００１８】
冷暖房装置２９は、キャビン１０の天井部２８の導風ダクト（図示しない）内にエバポレータ３０とエバポレータファン３１とを連通連結して配設している。また、キャビン１０の後側壁４０には、コンデンサ４１や回転ファン４２やレシーバ４４等よりなるコンデンサユニット４５を設けて、コンデンサユニット４５とエバポレータ３０との間に、冷媒供給流路４６と冷媒戻し流路４７とを介設し、冷媒戻し流路４７の中途部にコンプレッサ４８を設けるとともに、冷媒供給流路４６の中途部にコンデンサユニット４５の一部となる冷媒濾過・乾燥用のレシーバ４４を設けて構成している。そして、エバポレータより生起される冷気を導風ダクトより吹き出し口（図示せず）へ圧送するようにしている。コンプレッサ４８はエンジン１３に連動連結している。４３は回転ファン４２を正回転と逆回転のいずれにも回転駆動可能な電動式のファンモータである。
【００１９】
キャビン１０の後側壁４０には外気流通窓（図示せず）を形成し、この外気流通窓にコンデンサユニット４５を配設して、後述する冷却用の回転ファン４２によりキャビン１０の右側方後部から外気を吸入して、吸入した外気をコンデンサ４１に接触させて熱交換を行うとともに、外気流通窓を通して熱交換した外気（熱気）をキャビン１０の後方外部へ排気するようにしている。
【００２０】
回転ファン４２は、キャビン１０の右側方後部から吸入した外気をコンデンサ４１に当てながら熱交換して、キャビン１０の後側壁４０外方に排出するように機能する。
【００２１】
コンデンサ４１は、ジグザグ状の冷媒流通パイプよりなり、回転ファン４２の上手側（内側）に、この回転ファン４２と対峙するように重ねてキャビン１０の後側壁４０配設している。
【００２２】
キャビン１０内の後部には、キャビン１０の右側方から外気を流通する外気流通空間Ｓが形成されており、コンデンサ４１は外気流通空間Ｓに露出した状態に配設されている。すなわち、キャビン１０内の運転席２３の後方における左右側壁３４,３５間には、仕切り壁５０を後側壁４０と前後方向に対面させて立設状に架設することにより、仕切り壁５０と後側壁４０との間に一定の間隔を保持して、その間に外気流通空間Ｓを形成している。
【００２３】
キャビン１０の右側後部壁体５１に上下に二つの外気取入口５２，５２を開口させており、各外気取入口５２には防塵埃網５３を張設している。外気取入口５２は、外気流通空間Ｓと連通状態としており、正回転する回転ファン４２の吸引力によって防塵埃網５３を介して外気を外気取入口５２から外気流通空間Ｓに取り込むことで、取り込んだ外気をコンデンサ４１に通過させながらコンデンサ４１の外気冷却作用を果しつつ熱交換し、熱交換された外気を排熱風Ｗ１としてキャビン１０後方に排出する。
【００２４】
また、冷暖房装置２９は、熱交換器（図示しない）を具備しており、熱交換器とエンジン１３との間に温水供給路（図示しない）と温水戻し路（図示しない）とを介設して、キャビン１０内を暖房する暖房機能を持たせている。
【００２５】
上記したような構成において、本実施形態の特徴は、回転ファン４２を正・逆回転可能となして、正回転する回転ファン４２により冷暖房装置２９のコンデンサ４１に防塵埃網５３を張設した外気取入口５２を通して熱交換用の外気を供給する一方、逆回転する回転ファン４２により外気取入口５２を通して防塵埃網５３に付着した塵埃を吹散して除去する吹散除去風Ｗ２をキャビン１０の外部へ向けて送風するようにしたことにある。そして、外気取入口５２はキャビン１０の左右側壁３４,３５のいずれか一側壁（本実施形態では右側壁３５）に設け、穀粒搬出部１２は、基端部を支点として傾倒自在かつ旋回自在とした後述の搬出横オーガ７１を有し、搬出横オーガ７１の先端部には穀粒搬出口部７２を設けて、回転ファン４２が逆回転して外気取入口５２から吹散除去風Ｗ２が流出されている際に、吹散除去風Ｗ２の下流側に穀粒搬出口部７２が配置された場合には、回転ファン４２の逆回転作動が停止されるようにしている。また、外気取入口５２から流出される吹散除去風Ｗ２の下流側に穀粒搬出口部７２が配置されている場合には、回転ファン４２の逆回転作動が規制されるようにしている。これらの吹散除去風Ｗ２の下流側に穀粒搬出口部７２が配置された場合と、外気取入口５２から流出される吹散除去風Ｗ２の下流側に穀粒搬出口部７２が配置されている場合が、回転ファン４２の逆回転作動を抑制する条件である。ここで、吹散除去風Ｗ２の下流側とは、吹散除去風Ｗ２がキャビン１０から右側方へ圧送される本実施形態では、コンバインＡの右側方の側である。
【００２６】
回転ファン４２は、コンバインＡの収穫作業（刈取作業、脱穀作業、及び選別作業）中や穀粒搬出作業や排藁処理作業中であっても逆回転作動が確保されるように、冷暖房装置２９の運転を開始してから一定時間毎に正回転と逆回転を繰り返すようにしている。すなわち、回転ファン４２を、一定時間（例えば、１５分）は正回転作動させ、その後に、一定時間（例えば、５秒間）は停止させて、その後に、一定時間（例えば、５〜１０秒間）は逆回転作動させるようにしている。そして、回転ファン４２は、冷暖房装置２９の運転を開始してから所定時間（例えば、５分間）内にキャビン１０の室内温度が設定温度に達しない場合には、上記した回転ファン４２の逆回転作動を抑制する条件が満たされない限り、逆回転作動を強制的に継続させるようにしている。
【００２７】
より具体的に説明すると、キャビン１０内には冷暖房装置２９を操作する操作手段としての操作パネル６０ないしはリモコンを設けている。操作パネル６０には、図６に示すように、運転・停止スイッチ６１と冷房・暖房切替スイッチ６２と温度設定スイッチ６３等を設けている。操作パネル６０は、後述するコントローラ９０の入力側に電気的に接続して、コントローラ９０により冷暖房装置２９を制御するようにしている。また、キャビン１０内にはキャビン内温度を検出する温度センサ６４を設けている。なお、コントローラ９０はキャビン１０内に配設している。
【００２８】
穀粒搬出部１２は、図１〜図３及び図７に示すように、穀粒貯留部１１の底部に前後方向に軸線を向けて配設したスクリューコンベア式の搬出コンベア６９と、搬出コンベア６９の後端部に連通連結するとともに上下方向に軸線を向けた搬出縦オーガ７０と、搬出縦オーガ７０の上端部に連通連結するとともに前後方向に軸線を向けた搬出横オーガ７１とを具備しており、搬出横オーガ７１の先端部に穀粒搬出口部７２を取り付けている。
【００２９】
搬出縦オーガ７０は、機体フレーム２上に上下方向に伸延する縦長筒状体７３をその軸線廻りに回動自在に立設し、縦長筒状体７３内にスクリューコンベア式の縦コンベア７４を配設して、縦コンベア７４の下端部と搬出コンベアの後端部とを連動連結している。８０は縦長筒状体７３をその軸線廻りに回動させる旋回用アクチュエータである。旋回用アクチュエータ８０は、回転軸８１を備え、回転軸８１には、駆動ギヤ８２を取り付けている。駆動ギヤ８２には、縦長筒状体７３の上下中途部に外嵌するように固定された従動ギヤ８３を噛合させている。また、回転軸８１には、旋回角度検知センサ８４が取り付けられる。旋回角度検知センサ８４としては、縦長筒状体７３の旋回角度（回動角度）を検出することができる回転式ポテンショメータ等を採用している。
【００３０】
搬出横オーガ７１は、縦長筒状体７３の上端部に前後方向に伸延する横長筒状体７５の後端部を枢支連結して、略水平な横臥姿勢と前高後低の傾斜姿勢とに姿勢変更可能なように傾倒自在となし、横長筒状体７５にスクリューコンベア式の横コンベア７６を配設して、横コンベア７６の後端部と縦コンベア７４の上端部とを連動連結している。８５は搬出横オーガ７１を上下方向へ傾倒させる傾倒用アクチュエータである。８６は縦長筒状体７３の上端部と横長筒状体７５の後端部（基端部）との間に介設した連動機構であり、連動機構８６には傾倒用アクチュエータ８５を連動連結している。そして、傾倒用アクチュエータ８５の伸縮作動に連動して連動機構８６を介して搬出横オーガ７１がその後端部（基端部）を中心として上下方向へ傾倒されるようにしている。傾倒用アクチュエータ８５には、傾倒角度検知センサ８７が取り付けられる。傾倒角度検知センサ８７としては、傾倒用アクチュエータ８５のストロークを検出して搬出横オーガ７１の傾倒角度を検出することができる伸縮式ポテンショメータ等を採用している。
【００３１】
このように構成して、穀粒搬出部１２は、旋回用アクチュエータ８０により縦長筒状体７３をその軸線廻りに回動させることによって旋回し、傾倒用アクチュエータ８５により横長筒状体７５を上下方向へ回動させることによって傾倒するように構成している。本実施形態では、図８に示すように、搬出横オーガ７１の穀粒搬出口部７２を前方へ指向させた位置から左側方へ指向させた９０度の左側旋回範囲と、搬出横オーガ７１の穀粒搬出口部７２を前方へ指向させた位置から右側方さらには後方へ指向させた１８０度の右側旋回範囲において搬出横オーガ７１を旋回可能としている。Ｔは穀粒搬出口部７２の先端が旋回時に描く旋回軌跡、Ｌは搬出横オーガ７１の軸線、Ｋは外気取入口５２が開口している方向である右側方に伸延する仮想線である。Ｐ１は、キャビン１０の右側後部壁体５１に搬出横オーガ７１の周面が接触した位置における搬出横オーガ７１の軸線Ｌと穀粒搬出口部７２の旋回軌跡Ｔとの交点位置、Ｐ２は、仮想線Ｋと搬出横オーガ７１の軸線Ｌとの交点位置である。θは、交点位置Ｐ１と交点位置Ｐ２との間に形成される搬出横オーガ７１の軸線Ｌの旋回角度である。
【００３２】
そして、前記した回転ファン４２の逆回転作動を抑制する条件は、さらに、次の抑制範囲Ｚ内に限定して設定することができる。すなわち、抑制範囲Ｚは、搬出横オーガ７１の軸線Ｌの旋回角度θ内でかつ旋回軌跡Ｔ内の扇形状の範囲に設定することができる。具体的には、回転ファン４２が逆回転作動して外気取入口５２から吹散除去風Ｗ２が流出されている際に、抑制範囲Ｚ内に穀粒搬出口部７２が配置された場合には、逆回転作動している回転ファン４２が正回転作動されるようにする。また、抑制範囲Ｚ内に穀粒搬出口部７２が配置されている場合には、回転ファン４２の逆回転作動が規制されるようにする。具体的には回転ファン４２の正回転作動が継続される。
【００３３】
このように回転ファン４２の逆回転作動を抑制する条件を設定することで、逆回転する回転ファン４２から生起される吹散除去風Ｗ２が外気取入口５２から流出されて、搬出横オーガ７１の穀粒搬出口部７２から搬出されている穀粒に塵埃が吹散されることや穀粒が飛散される等の穀粒搬出作業に支障となる悪影響が生起されないようにしている。
【００３４】
次に、冷暖房装置２９を制御するコントローラ９０の構成について、図６を参照しながら説明する。すなわち、コントローラ９０は、ＲＡＭやＲＯＭ等の記憶部、ＣＰＵ等の演算処理部等により構成したコンピュータ装置であり、タイマー機能を有している。そして、コントローラ９０の入力側には、操作パネル６０の各スイッチ６１〜６３と、温度センサ６４と、旋回角度検知センサ８４と、傾倒角度検知センサ８７を電気的に接続している。また、コントローラ９０の出力側には、回転ファン４２を正・逆回転駆動するファンモータ４３と、旋回用アクチュエータ８０と、傾倒用アクチュエータ８５を電気的に接続している。前記した記憶部には、ファンモータ４３や各アクチュエータ８０,８５等の駆動制御に関する制御プログラム等を格納している。制御プログラムの中には、回転ファン４２を周期的に正逆回転作動させる制御プログラムや、回転ファン４２の逆回転作動を抑制する条件が設定された制御プログラムも含まれている。前記した演算処理部では、各スイッチ６１,６２,６３や各センサ８４,８７等の各種検出情報を入力するとともに、前記制御プログラムに基づいて演算処理を行い、ファンモータ４３や各アクチュエータ８０,８５へ制御情報を出力する。
【００３５】
このように構成したコントローラ９０では、運転・停止スイッチ６１がＯＮされて冷暖房装置２９の運転が開始され、冷房・暖房切替スイッチ６２により冷房と暖房のいずれかに切替られて、温度設定スイッチ６３により所望のキャビン内温度が設定された情報が取得されると、タイマーにより時間の計測が開始されるとともに、回転ファン４２を一定時間毎に正回転作動と逆回転作動を繰り返し作動させる制御情報が出力される。
【００３６】
すなわち、コントローラ９０は、冷暖房装置２９の運転・停止スイッチ６１がＯＮされた情報を取得すると、回転ファン４２を一定時間（例えば、１５分間）は正回転作動させ、その後に、一定時間（例えば、５秒間）は停止させて、その後に、一定時間（例えば、５〜１０秒間）は逆回転作動させるという周期的な制御情報を、運転・停止スイッチ６１がＯＦＦされた情報を取得するまで出力する。そうすることで、回転ファン４２を定期的に逆回転作動させて、防塵埃網５３に付着した塵埃を吹散して除去する吹散除去風Ｗをキャビン１０の外部へ向けて送風することができる。
【００３７】
この際、搬出横オーガ７１の穀粒搬出口部７２の使用位置が、回転ファン４２の逆回転作動を抑制する条件に適合した場合には、回転ファン４２が逆回転作動されないように制御情報を出力する。つまり、この場合には回転ファン４２が正回転作動を継続する制御情報が出力される。そして、回転ファン４２の逆回転作動を抑制する条件が不適合となった時点で、回転ファン４２を一定時間毎に正・逆回転作動を繰り返す周期的制御に復帰される。
【００３８】
そして、冷暖房装置２９の運転を開始してから予め設定された所定時間（例えば、５分間）内に、キャビン１０の室内温度を検出する温度センサ６４が、温度設定スイッチ６３により設定された設定温度を検出しない場合には、設定温度の検出情報がコントローラ９０に取得されないため、コントローラ９０は、防塵埃網５３に塵埃が付着して目詰まりを起こしていると判断して、回転ファン４２を逆回転作動させるように制御情報を出力する。その後、温度センサ６４が温度設定スイッチ６３により設定された設定温度を検出した場合には、コントローラ９０は、目詰まりが解消されたと判断して、回転ファン４２を一定時間毎に正回転作動と逆回転作動を繰り返し作動させる周期的な制御に復帰する制御情報を出力する。また、回転ファン４２を一定時間（例えば、３分間）にわたって逆回転作動させたにも拘わらず、温度センサ６４が温度設定スイッチ６３により設定された設定温度を検出しない場合には、コントローラ９０は、目詰まり以外に原因があると判断して、報知音や報知ランプ等により作業者に報知する。ただし、前記したように回転ファン４２の逆回転作動を抑制する条件に適合した場合には、コントローラ９０は、回転ファン４２が逆回転作動されないように制御情報を出力する。
【００３９】
図９は、コントローラ９０によって制御を実行される回転ファン４２の逆回転動作例を示すフローチャートであり、このフローチャートを参照しながら以下に回転ファン４２の制御方法を説明する。
【００４０】
まず、コントローラ９０が、運転・停止スイッチ６１がＯＮされた情報と、冷房・暖房切替スイッチ６２が冷房と暖房のいずれかに切替操作された情報と、温度設定スイッチ６３により所望のキャビン内温度が設定された情報とを取得すると（ステップＳ１〜Ｓ３：Ｙｅｓ）、タイマーによる冷暖房運転時間の計測が開始されるとともに（ステップＳ４）、回転ファン４２を一定時間毎に正・逆回転作動を繰り返す周期的な制御情報を出力する（ステップＳ５）。
【００４１】
予め設定された所定時間（例えば、５分間）内に、キャビン１０の室内温度を検出する温度センサ６４が、温度設定スイッチ６３により設定された設定温度を検出して、設定温度の検出情報がコントローラ９０に取得された場合には（ステップＳ６：Ｙｅｓ）、コントローラ９０は、回転ファン４２を一定時間毎に正・逆回転作動を繰り返す周期的な制御情報を継続して出力する。
【００４２】
また、予め設定された所定時間（例えば、５分間）内に、キャビン１０の室内温度を検出する温度センサ６４が、温度設定スイッチ６３により設定された設定温度を検出できず、設定温度の検出情報がコントローラ９０に取得されない場合には（ステップＳ６：Ｎｏ）、コントローラ９０は、防塵埃網５３に塵埃が付着して目詰まりを起こしていると判断して、回転ファン４２を強制的にかつ継続的に逆回転作動のみを実行させる制御情報を出力する。（ステップＳ７）。
【００４３】
温度センサ６４が温度設定スイッチ６３により設定された設定温度を検出した場合には（ステップＳ８：Ｙｅｓ）、コントローラ９０は、目詰まりが解消されたと判断して、回転ファン４２を一定時間毎に正回転作動と逆回転作動を繰り返し作動させる周期的な制御に復帰する制御情報を出力する。
【００４４】
ただし、回転ファン４２の逆回転作動を抑制する条件に適合した場合には（ステップＳ９：Ｙｅｓ）、回転ファン４２を強制的にかつ継続的に正回転作動のみを実行させる制御情報を出力する（ステップＳ１２）。すなわち、コントローラ９０は、旋回角度検知センサ８４と傾倒角度検知センサ８７から検出情報を取得して、検出情報から搬出横オーガ７１の現状の姿勢（旋回角度と傾倒角度）を演算して算出する。そして、回転ファン４２が逆回転して外気取入口５２から吹散除去風Ｗ２が流出されている際に、搬出横オーガ７１の穀粒搬出口部７２が抑制範囲Ｚ内に配置されていると算出結果からコントローラ９０が判断した場合には、回転ファン４２の逆回転作動を中止させるとともに、正回転作動させる制御情報を出力して正回転作動のみを継続させる（ステップＳ１２）。また、旋回角度検知センサ８４と傾倒角度検知センサ８７からコントローラ９０が取得した検出情報に基づいて、搬出横オーガ７１の現状の姿勢（旋回角度と傾倒角度）が演算されて算出され、抑制範囲Ｚ内に穀粒搬出口部７２が配置されていると算出結果からコントローラ９０が判断した場合には、回転ファン４２の正回転作動のみを継続させる制御情報を出力する（ステップＳ１２）。
【００４５】
回転ファン４２の逆回転作動を抑制する条件が不適合となった場合には（ステップＳ１３：Ｙｅｓ）、回転ファン４２の周期的な正・逆回転作動に復帰させる制御情報を出力する（ステップＳ１４）。
【００４６】
回転ファン４２の逆回転作動を抑制する条件が不適合とならない場合、つまり、適合する場合には（ステップＳ１３：Ｎｏ）、回転ファン４２の正回転作動のみを継続させる制御情報を出力する（ステップＳ１２）。
【００４７】
回転ファン４２の逆回転作動を抑制する条件に適合しない場合（ステップＳ９：Ｎｏ）であって、回転ファン４２を一定時間（例えば、１５分間）にわたって逆回転作動させていない場合には（ステップＳ１０：Ｎｏ）、回転ファン４２の逆回転作動のみを継続させる制御情報を出力する（ステップＳ７）。
【００４８】
この際、回転ファン４２を一定時間（例えば、３分間）にわたって逆回転作動させたにも拘わらず、温度センサ６４が温度設定スイッチ６３により設定された設定温度を検出しない場合には（ステップＳ１０：Ｙｅｓ）、コントローラ９０は、目詰まり以外に原因があると判断して、報知音や報知ランプ等により作業者に報知する（ステップＳ１１）。
【００４９】
このように、回転ファン４２を正・逆回転制御することで、穀粒の搬出に悪影響を与えることなく、塵埃の付着による防塵埃網５３の目詰まりを解消することができる。その結果、冷暖房装置２９の冷暖房機能が良好に確保される。
【符号の説明】
【００５０】
Ａ  コンバイン
２  機体フレーム
１２  穀粒搬出部
２９  冷暖房装置
４１  コンデンサ
４２  回転ファン
５２  外気取入口
５３  防塵埃網
７１  搬出横オーガ
７２  穀粒搬出口部
Ｗ２  吹散除去風
【図１】
2015080425.tif 000003
【図２】
2015080425.tif 000004
【図３】
2015080425.tif 000005
【図４】
2015080425.tif 000006
【図５】
2015080425.tif 000007
【図６】
2015080425.tif 000008
【図７】
2015080425.tif 000009
【図８】
2015080425.tif 000010
【図９】
2015080425.tif 000011